(57)【要約】【課題】輸送時の振動や落下でも外装体が傷付かない貯湯式給湯機を提供する。【解決手段】加熱手段で加熱された温水を貯湯する貯湯タンク１と、該貯湯タンク１を覆う外装体２と、この外装体２の底部から突出した複数の支持脚３とを備えたもので、前記外装体２の上面板４には、Ｌ字状の壁固定金具１０を反転させ、垂下する壁固定部１３と外装体２の周壁面９との間には緩衝隙間１４を形成してビス止めし、更に壁固定部１３の端部と対向する外装体２の周壁面９には緩衝手段１５を設けたので、外装体２の周壁面９に傷が付いて商品価値が下がることがなくなり、常に安心して使用出来るものである。【選択図】  図４
2011038701.tif 000002
【特許請求の範囲】
【請求項１】
加熱手段で加熱された温水を貯湯する貯湯タンクと、該貯湯タンクを覆う外装体と、この外装体の底部から突出した複数の支持脚とを備えたものに於いて、前記外装体の上面板には、Ｌ字状の壁固定金具を反転させ、垂下する壁固定部と外装体の周壁面との間には緩衝隙間を形成してビス止めし、更に壁固定部の端部と対向する外装体の周壁面には緩衝手段を設けた事を特徴とする貯湯式給湯機。
【請求項２】
前記緩衝手段は、外装体を固定するビスで兼用した事を特徴とする請求項１記載の貯湯式給湯機。
【発明の詳細な説明】
【技術分野】
【０００１】
この発明は、耐震用に重量物を壁に固定する壁固定金具を備えた貯湯式給湯機に関するものである。
【背景技術】
【０００２】
従来よりこの種のものでは、貯湯タンクに貯湯すると約５００Ｋｇにもなる貯湯式給湯機を耐震の為に、支持脚はコンクリートの上にアンカーボルトで強固に固定され、更に給湯機の上部は、壁固定金具を使用して家屋の壁に固定されるものであった。
【先行技術文献】
【特許文献】
【０００３】
【特許文献１】特開平１１−３７５５９号公報
【発明の概要】
【発明が解決しようとする課題】
【０００４】
ところでこの従来のものでは、壁固定金具の梱包方法が問題で、出来るだけコンパクトな梱包が求められると共に、使用場所からあまり離れた所に収納したのでは、施工業者が分からずに取り付けられられないと言う問題も発生するものであり、又これらを考慮して予め壁固定金具が取り付けられる器具の上面後方に、Ｌ字状の金具を反転させて取り付けて置けば、場所もとらず取り付けも反転させればすぐに固定作業に入れると言う利便性もあって良いものであるが、器具の上面後方から垂下する壁固定部が外装体の周壁面に密着した状態になると、器具輸送時の振動により壁固定部が左右に振られ、外装体の周壁面に傷が付いてしまい商品価値が下がり売り物にならないと言う不具合が発生するものであり、又これを防止する為には、壁固定部と外装体の周壁面との間に隙間を設けて置けばよいものであるが、これでも器具の運搬時に手が滑って器具を少し落下させただけでも、壁固定部が落下の衝撃で曲がり、先端部が外装体の周壁面に当たって、ここに傷が付いてやはり商品価値が低下すると言う課題を有するものであった。
【課題を解決するための手段】
【０００５】
この発明はこの点に着目し上記欠点を解決する為、特にその構成を、加熱手段で加熱された温水を貯湯する貯湯タンクと、該貯湯タンクを覆う外装体と、この外装体の底部から突出した複数の支持脚とを備えたものに於いて、前記外装体の上面板には、Ｌ字状の壁固定金具を反転させ、垂下する壁固定部と外装体の周壁面との間には緩衝隙間を形成してビス止めし、更に壁固定部の端部と対向する外装体の周壁面には緩衝手段を設けたものである。
【０００６】
又請求項２では、前記緩衝手段は、外装体を固定するビスで兼用したものである。
【発明の効果】
【０００７】
以上のようにこの発明によれば、壁固定金具が外装体の上面後方の取り付け位置に輸送時は取り付けられているので、壁固定金具を探す必要がなく、取り付けてあるものを一旦取り外した後、反転させて再度正式に壁に固定すれば、器具の耐震固定は終了するもので、極めて容易に素速く固定作業を行うことが出来るものであり、更に壁固定部と外装体の周壁面との間には緩衝隙間が形成されているので、器具輸送時の振動で外装体の外周面に傷が付く心配はなく安心して使用出来るものであり、しかも壁固定部の先端部と対向する外装体の周壁面には緩衝手段を設けたことにより、器具の運搬時に手が滑って器具を落とし、この衝撃で壁固定部が曲がっても、壁固定部の先端部は緩衝手段に当たるだけで周壁面には接しないから、外装体の周壁面に傷が付いて商品価値が下がることがなくなり、常に安心して使用出来るものである。
【０００８】
又緩衝手段を、外装体を固定するビスで兼用すれば、特別な緩衝手段を用意する必要がなく、部品点数も少なく安価に提供出来るものである。
【図面の簡単な説明】
【０００９】
【図１】この発明の一実施形態を示す貯湯式給湯機の概略断面図。
【図２】同梱包状態を示す説明図。
【図３】同要部説明図。
【図４】同梱包状態を示す要部断面図。
【図５】同落下状態を示す要部説明図。
【図６】同給湯機を壁Ａに固定した状態を示す要部断面図。
【発明を実施するための形態】
【００１０】
次にこの発明の一実施形態を図示した貯湯式給湯機に基づいて説明する。
１は円筒状の貯湯タンクで、二酸化炭素冷媒を用いたヒーポンユニットから成る加熱手段（図示せず）を利用し、時間帯別契約電力の電力単価が安価な深夜時間帯に湯水を沸き上げて貯湯するものである。
【００１１】
２は前記貯湯タンク１を四角形の立方体状に覆う外装体で、底部には貯湯タンク１に連結した３本の支持脚３を備え、上部には四角形の上面板４を設け、前面には取り外し容易とした前パネル５を備え、左右側面６、７はお互いにＬ字状に延長して連結され背面８を形成して周壁面９を構成するものである。
【００１２】
１０は器具の設置時に家屋の壁等に器具上部を耐震用に固定して転倒防止するＬ字状の壁固定金具で、運搬時の荷姿としては外装体２の上面板４後方の中央に、固定時の状態とは反転した状態で２本の平行した位置調節溝１１を２本のビス１２で止めて取り付けられており、又背面８側に垂下する壁固定部１３と背面８の周壁面９との間には、１〜３ｍｍの緩衝隙間１４が形成され、更に壁固定部１３の端部と対向する周壁面９側には緩衝手段１５として、左右側面６、７を背面８で連結する複数のビス内で上から２番目のビスで兼用したものであり、壁固定部１３にも固定用の２本の長穴１６が設けられている。
１７は運搬の為に一旦支持脚３を固定する運搬用簀の子である。
【００１３】
このようにＬ字状の壁固定金具１０が運搬時には、外装体２の上面板４にＬ字部分を反転させて取り付けられているので、梱包時に壁固定金具１０は場所を取らずにコンパクトに収納されることになり、又器具の設置時には壁固定金具１０はその位置で再び反転させて元の状態に戻すことで、器具の壁固定作業がスムーズに行われ、壁固定金具１０の紛失などの心配もなく容易に行われるものである。
【００１４】
更に器具の運搬時には、反転したＬ字状の壁固定金具１０の壁固定部１３と周壁面９の背面８との間には、緩衝隙間１４が形成されているから、運搬時に多少の振動が発生したとしても背面８に傷が付くことがなく、商品価値を下げる心配がないから安心して運搬出来るものである。
【００１５】
又器具の運搬中に手を滑らせて該器具が低い所から落下した場合には、壁固定金具１０の壁固定部１３と周壁面９の背面８との間には、緩衝隙間１４が形成されているが、落下の衝撃により壁固定部１３が背面８側に曲がり該背面８に接触しそうになるが、ここには緩衝手段１５としてのビスがあることで、曲がった壁固定部１３の先端はビスの頭に阻止されて、背面８との接触が免れることから該背面８には傷が付かず商品価値の低下が防止され、輸送や搬入に気を配る必要がなく取り扱いが楽になり安心して使用出来るものである。
【００１６】
更に緩衝手段１５を、外装体２を固定するビスで兼用したので、特別な緩衝手段１５を用意する必要がなく、部品点数も少なく安価に提供出来るものである。
【符号の説明】
【００１７】
１  貯湯タンク
２  外装体
３  支持脚
４  上面板
８  背面
９  周壁面
１０  壁固定金具
１３  壁固定部
１４  緩衝隙間
１５  緩衝手段
【図１】
2011038701.tif 000003
【図２】
2011038701.tif 000004
【図３】
2011038701.tif 000005
【図４】
2011038701.tif 000006
【図５】
2011038701.tif 000007
【図６】
2011038701.tif 000008